(57)【要約】【課題】  赤色レーザ光を用いて既存ＤＶＤに対する起動の迅速化を図りながら、ハイブリッド型次世代ＤＶＤが装着された場合にも、円滑にＨＤＤＶＤ層に対する処理を行い得る光ディスク装置を提供する。【解決手段】  赤色レーザ光を用いてフォーカスサーチを行い、そのまま、最もＳカーブの振幅が大きな記録層に引き込んで記録／再生処理を行う。同時に、最も振幅が大きいＳカーブと次に振幅が大きいＳカーブのピーク比を測定し、このピーク比が、所定レンジ内にあるときに、ＨＤＤＶＤ層が存在する可能性があることを示すフラグを立てておく。ホスト等から層間ジャンプ指令が入力された場合には、上記フラグを参照し、ＨＤＤＶＤ層が存在する可能性があるかを確認する。これにより、可能性があるとされると、ＨＤＤＶＤ層に対するサーチ試行を行い、ＨＤＤＶＤ層に対する処理に移行する。【選択図】    図３
2006351124.tif 000002
【特許請求の範囲】
【請求項１】
第１の波長のレーザ光にてフォーカスサーチを行うフォーカスサーチ手段と、
前記フォーカスサーチによって検出されるＳカーブのうち最大振幅のものとその次に大きな振幅を有するものとを比較して両振幅の相対値を取得する比較手段と、
前記取得された相対値が規定レンジ内にあるかを判別する判別手段と、
前記判別手段における判別結果を記憶する記憶手段と、
前記第１の波長のレーザ光にて前記最大振幅を有する記録層に対する処理を行う第１の処理手段と、
を有することを特徴とする光ディスク装置。
【請求項２】
請求項１に記載の光ディスク装置において、
前記最大振幅を有する記録層以外の他の記録層に対する処理指令に応じて、前記記憶手段に記憶された前記判別結果を参照し、該判別結果が、前記相対値が前記規定レンジ内にあることを示すものであるとき、前記第１の波長とは異なる第２の波長のレーザ光にて、前記他の記録層に対する処理を行う第２の処理手段を有する、
ことを特徴とする光ディスク装置。
【請求項３】
請求項２に記載の光ディスク装置において、
前記第２の処理手段における処理が不能のとき、前記記憶手段に記憶されている前記判別結果を、前記パラメータ値が前記規定レンジ内にはないことを示すものに変更する判別結果変更手段を有する、
ことを特徴とする光ディスク装置。
【請求項４】
請求項１ないし３の何れか一項に記載の光ディスク装置において、
前記比較手段は、前記２つのＳカーブの振幅のピーク比を前記相対値として取得する、
ことを特徴とする光ディスク装置。
【請求項５】
請求項１ないし４の何れか一項に記載の光ディスク装置において、
前記記憶手段は、前記相対値が前記規定レンジ内にあることを示すフラグ情報を記憶する、
ことを特徴とする光ディスク装置。
【発明の詳細な説明】
【技術分野】
【０００１】
本発明は、光ディスク装置に関し、特に、異なる波長に対応する記録層が積層方向に複数配された光ディスクを取り扱う光ディスク装置に用いて好適なものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、「ＨＤＤＶＤ層」という）と、赤色レーザ光に対応する記録層（以下、「ＤＶＤ層」という）の２つの記録層をディスク厚方向に配置することが検討されている。
【０００３】
かかる次世代ＤＶＤ（以下、「ハイブリッド型次世代ＤＶＤ」という）では、ＤＶＤ層がレーザ光入射側から見て手前に配置される。また、ＤＶＤ層には、既存のＤＶＤと同一のフォーマットがそのまま適用される。このＤＶＤ層には、さらにその奥にＨＤＤＶＤ層が存在することを示す情報は保持されない。したがって、ＤＶＤ層に引き込み処理が行われると、当該ディスクはあたかも、単一の記録層を有するＤＶＤとして取り扱われることとなる。
【０００４】
以下の特許文献１には、２つの記録層を有する光ディスクとそのドライブ装置が紹介されている。
【特許文献３】特開２００３−３４６３４８号公報
【発明の開示】
【発明が解決しようとする課題】
【０００５】
次世代ＤＶＤが市場に投入された場合、その後暫くは、既存ＤＶＤの普及率が次世代ＤＶＤを大きく上回っているものと想定される。このため、その間、両ディスクを取り扱う互換型ドライブ装置においては、次世代ＤＶＤよりもＤＶＤの方を優先的に処理するよう設計される可能性が高い。この場合、既存ＤＶＤに対する高速起動を実現するためには、赤色レーザ光にてフォーカスサーチを行い、これによりＤＶＤ層の検出が行えれば、赤色レーザ光を発光させたまま、この層に対する処理を行うようにするのが最も効率的である。
【０００６】
しかし、こうすると、ハイブリッド型次世代ＤＶＤが装着された場合に、ＨＤＤＶＤ層が検出されないとの不都合が生じる。上記の如く、ＤＶＤ層にはＨＤＤＶＤ層が存在することを示す情報が保持されていないため、赤色レーザ光を用いてＤＶＤ層に引き込みがなされると、あたかも、単一の記録層を有するＤＶＤとして取り扱われる。この場合、ドライブ側では、ＨＤＤＶＤ層の存在を認識することはできない。よって、何らかの方法にて、別途ＨＤＤＶＤ層が存在することを検出する必要がある。
【０００７】
本発明は、このような点に鑑み、赤色レーザ光を用いて既存ＤＶＤに対する起動の迅速化を図りながら、ハイブリッド型次世代ＤＶＤが装着された場合にも、円滑にＨＤＤＶＤ層に対する処理を行い得る光ディスク装置を提供することを課題とする。
【課題を解決するための手段】
【０００８】
ハイブリッド型次世代ＤＶＤでは、赤色レーザ光に対するＨＤＤＶＤ層の反射率が極めて低く抑えられる。本発明は、かかる点に着目してなされたものである。
【０００９】
すなわち、本発明では、赤色レーザ光を用いてフォーカスサーチを行ったときに得られるＳカーブの振幅状態からＤＶＤ層の他にＨＤＤＶＤ層が存在する可能性があるかを判別する。そして、ＨＤＤＶＤ層が存在する可能性があると判別したときは、それを示すフラグを立てておいて、ＤＶＤ層に対する処理に移行する。その後、ＨＤＤＶＤ層に対する処理指令を受けたときは、前述のフラグを参照し、ＨＤＤＶＤ層が存在する可能性を検証する。そして、ＨＤＤＶＤ層が存在する可能性があれば、ＨＤＤＶＤ層に対するサーチを行い、ＨＤＤＶＤ層に対する処理を行う。
【００１０】
各請求項に係る発明は、それぞれ以下の特徴を有する。
【００１１】
請求項１の発明は、光ディスク装置において、第１の波長のレーザ光にてフォーカスサーチを行うフォーカスサーチ手段と、前記フォーカスサーチによって検出されるＳカーブのうち最大振幅のものとその次に大きな振幅を有するものとを比較して両振幅の相対値を取得する比較手段と、前記取得された相対値が規定レンジ内にあるかを判別する判別手段と、前記判別手段における判別結果を記憶する記憶手段と、前記第１の波長のレーザ光にて前記最大振幅を有する記録層に対する処理を行う第１の処理手段とを有することを特徴とする。
【００１２】
請求項２の発明は、請求項１に記載の光ディスク装置において、前記最大振幅を有する記録層以外の他の記録層に対する処理指令に応じて、前記記憶手段に記憶された前記判別結果を参照し、該判別結果が、前記相対値が前記規定レンジ内にあることを示すものであるとき、前記第１の波長とは異なる第２の波長のレーザ光にて、前記他の記録層に対する処理を行う第２の処理手段を有することを特徴とする。
【００１３】
請求項３の発明は、請求項２に記載の光ディスク装置において、前記第２の処理手段における処理が不能のとき、前記記憶手段に記憶されている前記判別結果を、前記パラメータ値が前記規定レンジ内にはないことを示すものに変更する判別結果変更手段を有することを特徴とする。
【００１４】
請求項４の発明は、請求項１ないし３の何れか一項に記載の光ディスク装置において、前記比較手段は、前記２つのＳカーブの振幅のピーク比を前記相対値として取得することを特徴とする。
【００１５】
請求項５の発明は、請求項１ないし４の何れか一項に記載の光ディスク装置において、前記記憶手段は、前記相対値が前記規定レンジ内にあることを示すフラグ情報を記憶することを特徴とする。
【発明の効果】
【００１６】
本発明によれば、第１の波長のレーザ光を用いたフォーカスサーチの際にＳカーブから取得した振幅の相対値と規定レンジとの関係から、第２の波長に対応する記録層の存在の可能性が判別され、その判別結果が記憶される。そして、その後に、第２の波長に対応する記録層の処理指令があったときは、記憶された判別結果が参照され、この判別結果が、第２の波長に対応する記録層が存在する可能性があることを示すものである場合に、第２の波長のレーザ光にて、この記録層に対する処理が行われる。
【００１７】
このように、本発明によれば、第１の波長のレーザ光を用いたフォーカスサーチの際に、併せて、第２の波長に対応する記録層の存在の可能性を判別されるため、かかる判別処理がなされても、第１の波長のレーザ光を用いたディスク起動処理に遅延が生じることはない。また、第２の波長に対応する記録層の存在の可能性が記憶されるため、第２の波長に対応する記録層の処理指令があったときは、無駄な処理を抑制しながら円滑に、当該記録層に対する処理に移行することができる。
【００１８】
さらに、請求項３の発明によれば、先の判別処理にて第２の波長に対応する記録層が存在する可能性があると判別されても、その後、実際に、その記録層を処理したときに処理不能であれば、記憶手段に記憶されている判別結果が、第２の波長に対応する記録層が存在する可能性はないものに変更される。よって、その後さらに、第２の波長に対応する記録層の処理指令がなされたとしても、記憶手段に記憶されている判別結果がこのように変更されているため、当該記録層に対する無駄な処理の試行を回避することができる。
【００１９】
なお、第２の波長に対応する記録層が存在するかの可能性を、請求項４の発明のように２つのＳカーブの振幅のピーク比から判別するようにすれば、かかる判別を円滑かつ適正に行うことができる。また、請求項５に記載のように、記憶手段には、判別結果として、フラグ情報を保持させるようにすることができる。
【００２０】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００２１】
以下、本発明の実施形態につき図面を参照して説明する。
【００２２】
図１に、ハイブリッド型の次世代ＤＶＤの構造を示す。
【００２３】
ハイブリッド型次世代ＤＶＤ１は、片面にＨＤＤＶＤ層１２が形成された基板１１と、片面にＤＶＤ層１４が形成された基板１３を、接着層１５によって貼り合わせ、さらに基板１１の反対側の面に印刷層を形成した構造となっている。レーザ光は、基板１３側から入射される。記録可能タイプの場合、図１に示すように、ＨＤＤＶＤ層１２とＤＶＤ層１４には螺旋状のトラックが形成されている。再生専用タイプの場合、螺旋状にピットが配列されている。
【００２４】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。ＤＶＤ層１４は、波長４０５ｎｍ程度の青色レーザ光と波長６５５ｎｍ程度の赤色レーザ光をそれぞれ規定された割合にて透過および反射する。
【００２５】
ＨＤＤＶＤ層１２には、次世代ＤＶＤ規格に従うデータフォーマットが適用されている。ＨＤＤＶＤ層１２のリードイン情報にも、ＤＶＤ層１４が存在することを示す情報は含まれていない。ＨＤＤＶＤ層１４は、青色レーザ光を規定された反射率にて反射するが、赤色レーザ光に対する反射率はこれに比べて極めて低くなる材料にて形成されている。
【００２６】
なお、ＤＶＤ層が２層配されたマルチレイヤータイプのＤＶＤは、図１の構成において、ＨＤＤＶＤ層１２がＤＶＤ層に置き換わった構成となっている。各ＤＶＤ層１４のリードイン情報には、ＤＶＤ層が２つ存在することを示す情報が含まれている。これら２つのＤＶＤ層は、波長６５５ｎｍ程度の赤色レーザ光をそれぞれ規定された割合にて透過および反射する。
【００２７】
また、ＨＤＤＶＤ層が２層配されたマルチレイヤータイプの次世代ＤＶＤは、図１の構成において、ＤＶＤ層１４がＨＤＤＶＤ層に置き換わった構成となっている。この場合、２つのＨＤＤＶＤ層は、波長４０５ｎｍ程度の青色レーザ光をそれぞれ規定された割合にて透過および反射する。また、かかるディスクに波長６５５ｎｍ程度の赤色レーザ光を照射した場合、２つのＨＤＤＶＤ層は、それぞれ、赤色レーザ光を所定の反射率にて反射する。
【００２８】
図２に、本実施形態に係る光ディスク装置の構成を示す。なお、同図には、再生系に関するブロックのみが示されている。
【００２９】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、ＡＶ処理回路１０８を備えている。
【００３０】
光ピックアップ１０１は、波長４０５ｎｍ程度の青色レーザ光と波長６５５ｎｍ程度の赤色レーザ光を出射する半導体レーザと、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザからのレーザ光を対物レンズに導くとともにディスクからの反射光を光検出器に導く光学系を備えている。
【００３１】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００３２】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００３３】
レーザ駆動回路１０４は、コントローラ１０６から入力される制御信号をもとに、光ピックアップ１０１内の半導体レーザに駆動信号を出力する。かかる制御により、青色レーザ光の発光と、赤色レーザ光の発光が適宜切り替えられる。
【００３４】
復調回路１０５は、信号生成回路１０２から入力されたＲＦ信号を復調して再生データを生成しＡＶ処理回路１０８に出力する。復調回路１０５は、ＤＶＤデータフォーマットに従ってデータ復調を行う復調部（ＤＶＤデコーダ部）と、次世代ＤＶＤデータフォーマットに従ってデータ復調を行う復調部（ＨＤＤＶＤデコーダ部）を備えている。何れの復調部を用いるかは、コントローラ１０６からの制御信号をもとに設定される。また、各復調部における復調の可否とリードイン情報等のサブ情報が、復調回路１０５からコントローラ１０６に出力される。
【００３５】
コントローラ１０６は、内蔵メモリに各種データを格納するとともに、あらかじめ設定されたプログラムに従って、各部を制御する。なお、コントローラ１０６内の内蔵メモリには、後述の如く、装着されたディスクにＨＤＤＶＤ層が存在する可能性があるかを示すフラグが保持される。ディスク装着時におけるフラグのイニシャル値は０（ＨＤＤＶＤ層が存在しないことを示す）である。
【００３６】
ＡＶ処理回路１０８は、復調回路１０５から入力される再生データを処理して映像情報および音声情報を取得する。このうち、映像情報は、コントローラ１０６からの制御指示に従ってテレビ等の表示装置２００に出力される。音声情報は、コントローラ１０６からの制御指示に従ってスピーカ等（図示せず）に出力される。この他、コントローラ１０６からの信号に応じて、適宜、所定の画面あるいは音声を出力するための情報がＡＶ処理回路１０８から出力される。
【００３７】
図３に、ディスク装着時のフローチャートを示す。
【００３８】
ディスクが装着されると、赤色レーザ光を出射する半導体レーザが点灯され（Ｓ１０１）、フォーカスサーチが行われる（Ｓ１０２）。かかるフォーカスサーチの際、最大振幅を有するＳカーブとその次に大きな振幅を有するＳカーブについて、それぞれピーク間隔ＰＰ１、ＰＰ２が測定される。そして、ピーク間隔ＰＰ１、ＰＰ２をもとにピーク比Ｒが算出される（Ｓ１０３）。ここで、ピーク比Ｒは、Ｒ＝ＰＰ２／ＰＰ１により算出される。
【００３９】
図４は、ＤＶＤ層またはＨＤＤＶＤ層が２層配されたマルチレイヤータイプのＤＶＤまたは次世代ＤＶＤが装着されたときのＳカーブを模式的に例示するものである。この場合、ピーク比Ｒは、通常、Ｒ＝０．８程度となる。
【００４０】
図５は、ハイブリッド型次世代ＤＶＤが装着されたときのＳカーブを模式的に例示するものである。この場合、ピーク比Ｒは、通常、Ｒ＝０．１程度となる。
【００４１】
なお、ＤＶＤ層またはＨＤＤＶＤ層が１層のみ配されたディスクが装着された場合は、記録層位置におけるＳカーブの他、基板表面におけるＳカーブが現れる。この場合、ピーク比Ｒは、通常、Ｒ＝０．０５以下となる。なお、基板表面におけるＳカーブのピーク間隔ＰＰ２が図４および図５に示すＳカーブ検出限界よりも小さい場合には、基板表面におけるＳカーブは検出されない。この場合、ピーク比Ｒは、Ｒ＝０として処理が進められる。
【００４２】
図３に戻り、このようにしてＳカーブのピーク比が算出されると、次に、算出されたピーク比Ｒが、予め設定された閾値Ｓ１、Ｓ２と比較される（Ｓ１０４、Ｓ１０５）。ここで、Ｓ１≦Ｒであれば（Ｓ１０４：Ｙ）、装着されたディスクは、マルチレイヤータイプのＤＶＤまたは次世代ＤＶＤであるとして判別される。この場合、赤色レーザを点灯させたまま、レーザ光入射側から見て手前の記録層に対する引き込み処理が行われる。そして、当該記憶層に対する論理処理（ＤＶＤデコーダ部による）が可能な場合には、当該記録層に対する処理が維持され、不可能な場合には、点灯レーザが青色レーザに切り替えられ、当該記録層に対する引き込みおよび論理処理（ＨＤＤＶＤデコーダ部による）が行われる。
【００４３】
ピーク比ＲがＳ１≦Ｒでなければ（Ｓ１０４：Ｎ）、次に、Ｓ２≦Ｒ＜Ｓ１であるかが判別され（Ｓ１０５）、Ｓ２≦Ｒ＜Ｓ１であれば、装着されたディスクにＨＤＤＶＤ層が存在する可能性を示すフラグが１にセットされる（Ｓ１０６）。そして、赤色レーザを点灯させたまま、Ｓカーブが最大振幅となる記録層（ＤＶＤ層１４）に対する引き込み処理が行われる（Ｓ１０７）。
【００４４】
なお、Ｓ１０６にてフラグがセットされる場合には、モニター上にＨＤＤＶＤ層が存在する可能性があることをユーザに報知するための表示をスーパインポーズし、あるいは、その旨を報知するための音声をスピーカから出力するようにしても良い。
【００４５】
ピーク比ＲがＳ２≦Ｒ＜Ｓ１でなければ（Ｓ１０５：Ｎ）、ＨＤＤＶＤ層が存在する可能性を示すフラグに１がセットされることなく、赤色レーザを点灯させたまま、Ｓカーブが最大振幅となる記録層（ＤＶＤ層１４）に対する引き込み処理が行われる（Ｓ１０７）。
【００４６】
しかして、当該記録層（ＤＶＤ層１４）に対する引き込みが行われた後、赤色レーザ光を用いながら、当該記録層に対する処理（記録／再生）が行われる。
【００４７】
しかる後、ホスト側から、層間ジャンプ指令が入力されると（Ｓ１０８：Ｙ）、装着されたディスクにＨＤＤＶＤ層が存在する可能性を示すフラグが１にセットされているかが判別される（Ｓ１０９）。ここで、フラグが１にセットされていなければ（Ｓ１０９：Ｎ）、ＨＤＤＶＤ層に対する処理は不能であることを示すエラー表示がモニター上に表示される（Ｓ１１０）。このとき、その旨を報知するための音声をスピーカから出力するようにしても良い。
【００４８】
一方、フラグが１にセットされていれば、点灯レーザが赤色レーザから青色レーザに切り替えられ（Ｓ１１１）、ＤＶＤ層よりもさらに奥にある記録層（ＨＤＤＶＤ層）のサーチが青色レーザ光にて行われる（Ｓ１１２）。かかるサーチにて、当該記録層に引き込みがなされると（Ｓ１１３：Ｙ）、次に、ＨＤＤＶＤデコーダ部を用いながら、この記録層に対する論理処理が行われる。ここで、論理処理が可能であれば（Ｓ１１４：Ｙ）、当該記録層に対する処理(記録／再生)が行われる（Ｓ１１５）。かかる処理は、再度層間ジャンプ指令が入力されるまで（Ｓ１１６:Ｙ）行われる。その後、層間ジャンプ指令が入力されると（Ｓ１１６：Ｙ）、点灯レーザが赤色レーザに切り替えられ（Ｓ１１９）、ＤＶＤ層に対する処理へと戻される（Ｓ１０７）。
【００４９】
Ｓ１１３にて引き込み処理が不可であり、あるいは、Ｓ１１４にて論理処理が不可である場合には、ＨＤＤＶＤ層に対する処理は不能であることを示すエラー表示がモニター上に表示される（Ｓ１１７）。このとき、その旨を報知するための音声をスピーカから出力するようにしても良い。そして、ＨＤＤＶＤ層が存在する可能性を示すフラグが１から０にセットされた後（Ｓ１１８）、点灯レーザが赤色レーザに切り替えられ（Ｓ１１９）、ＤＶＤ層に対する処理へと戻される（Ｓ１０７）。
【００５０】
その後、再度、ジャンプ指令が入力されても（Ｓ１０８：Ｙ）、Ｓ１１８にてフラグが０にリセットされているため、ＨＤＤＶＤ層に対するサーチ試行は行われず、エラー表示がなされる（Ｓ１０９、Ｓ１１０）。これにより、ＨＤＤＶＤ層に対する無駄な処理試行が回避される。
【００５１】
以上、本実施の形態によれば、ＤＶＤ層に対する処理を迅速に開始することができるとともに、ＨＤＤＶＤ層に対する処理の円滑化および効率化を図ることができる。
【００５２】
なお、本発明の実施の形態は、上記実施の形態に限定されるものではない。
【００５３】
たとえば、上記実施の形態では、ＤＶＤ層とＨＤＤＶＤ層が１層ずつ配されたハイブリッド型ディスクを例示して説明したが、ＤＶＤ層が１層とＨＤＤＶＤ層が２層配されたハイブリッド型ディスクの場合にも同様の効果を奏することができる。この場合、たとえば、手前から１層目にあるＤＶＤ層のＳカーブと２層目にあるＨＤＤＶＤ層のＳカーブをもとにピーク比Ｒが測定される。そして、このピーク比が所定レンジ内にあるときにフラグが１にセットされ、その後のジャンプ指令に応じて、手前から２層目のＨＤＤＶＤ層に引き込みおよび論理処理がなされる。
【００５４】
本発明は特許請求の範囲に示された技術的思想の範囲内において、適宜、種々の変更が可能である。
【図面の簡単な説明】
【００５５】
【図１】実施の形態に係る光ディスクの構成を示す図
【図２】実施の形態に係る光ディスク装置の構成を示す図
【図３】実施の形態に係るディスク処理時のフローチャート
【図４】マルチレイヤーディスクが装着された場合のピーク比を説明する図
【図５】ハイブリッド型ディスクが装着された場合のピーク比を説明する図
【符号の説明】
【００５６】
１０１  光ピックアップ
１０２  信号生成回路
１０３  サーボ回路
１０４  レーザ駆動回路
１０５  復調回路
１０６  コントローラ
【図１】
2006351124.tif 000003
【図２】
2006351124.tif 000004
【図３】
2006351124.tif 000005
【図４】
2006351124.tif 000006
【図５】
2006351124.tif 000007